(57)【特許請求の範囲】
【請求項１】
ロッドを介して複数の椎骨を相互に固定するために各椎骨を前記ロッドに固定する脊椎固定用インプラントであって、
椎骨に固定されるスクリュー部と、該スクリュー部を前記ロッドに結合させる結合部と
を備え、
前記スクリュー部は、
椎骨に対して、椎骨の側である前側からねじ込まれるねじ部と、
前記ねじ部に対して、椎骨と反対の側である後側に連なる球状のヘッド部とを有し、
前記結合部は、
中空円筒状の部材で構成され、その側壁の対向する２箇所に、後側に開くＵ字形状に切り取ったＵ字状部分を有し、該Ｕ字状部分の底部に前記ロッドが該中空円筒を横断するように配置され、該底部よりも前側の内側に前記ヘッド部が配置されるクラウン部と、
前記クラウン部の内側に挿入されて前記ヘッド部と前記ロッドとの間に介在する中空円筒状のワッシャ部と、
前記クラウン部の後側端部に螺合されて前記ロッドを押すことにより、前記ヘッド部、前記クラウン部、前記ワッシャ部及び該ロッドを一体化するプラグ部とを備え、
前記ヘッド部は、前記スクリュー部の中心軸線上に中心点を有して該中心軸線に沿った方向における該中心点よりも前側から後側の範囲に及ぶ球帯状の球帯面を有し、
前記クラウン部は、前側端部の内側に、径が前側に向かって漸減し、前記球帯面に接して前記ヘッド部を前側から支持する凹んだ球帯状の前側支持面を有し、
前記ワッシャ部は、径が後側に向かって漸減し、前記球帯面に接して前記ヘッド部を後側から支持する凹んだ球帯状の後側支持面と、前記ロッドを支持する該ロッドの側面に適合して凹んだロッド支持面とを有し、
前記ワッシャ部の側面には、前記Ｕ字状部分と前記ロッド支持面とを整列させるための整列用凹部が設けられ、
前記クラウン部の内面には、前記整列用凹部に対応する整列用凸部が設けられ、
前記整列用凹部の前端が前端段差面となっていると共に、後端が後端段差面となっており、
前記前端段差面が前記後側支持面の後側の端よりも前側に位置すると共に前記後端段差面が該後側支持面の後側の端よりも後側に位置して、前記整列用凹部が該後側支持面の後側の端を跨ぐように設けられ、
前記整列用凹部の前端における該整列用凹部の深さを含む前記ワッシャ部の径方向の厚さが、前記整列用凹部の後端における該整列用凹部の深さを含む該ワッシャ部の径方向の厚さの４０〜６０％であり、
前記ワッシャ部は、前記クラウン部に挿入される際に、内側に弾性変形し復帰することにより、前記整列用凸部が前記整列用凹部内に前記前端段差面を介して該前端段差面と前記後端段差面との間に落ち込み、該クラウン部に仮止めされることを特徴とする脊椎固定用インプラント。
【請求項２】
前記クラウン部の前記整列用凸部は中心軸線方向よりも周方向に沿って長く、前記ワッシャ部の前記整列用凹部は周方向よりも中心軸線方向に沿って長く、該クラウン部に該ワッシャ部が挿入されて該整列用凸部が該整列用凹部内に配置された状態において、該ワッシャ部の前記後側支持面が前記ヘッド部の前記球帯面に密接した状態にあるとすれば、該整列用凸部及び該整列用凹部の前側の端同士及び後側の端同士の間には余裕があることを特徴とする請求項１に記載の脊椎固定用インプラント。
【発明の詳細な説明】
【技術分野】
【０００１】
本発明は、ロッドを介して複数の椎骨を相互に固定するために各椎骨を前記ロッドに固定する脊椎固定用インプラントに関する。
【背景技術】
【０００２】
従来、このような脊椎固定用インプラントは、脊椎に固定されるスクリュー部と、該スクリュー部をロッドに結合させる結合部とを備える。スクリュー部は、脊椎に対して前側からねじ込まれるねじ部と、ねじ部の後側に連設された球状のヘッド部とで構成される。結合部は、ヘッド部を支持するクラウン部及びワッシャ部と、クラウン部の後端部に螺合されるプラグ部とで構成される。
【０００３】
特許文献１、２に記載された脊椎固定用インプラントでは、クラウン部は、中空円筒状の部材で構成され、その側壁の対向する２箇所に、後側に開くＵ字形状に切り取ったＵ字状部分を有する。Ｕ字状部分の底部にロッドがクラウン部を横断するように配置される。クラウン部におけるＵ字状部分の底部よりも前側の内側に、スクリュー部のヘッド部が配置される。
【０００４】
ワッシャ部は、中空円筒状であり、クラウン部の内側に挿入されてヘッド部とロッドとの間に介在する。プラグ部は、クラウン部の後端部に螺合されてロッドを押すことにより、ヘッド部、クラウン部、ワッシャ部及びロッドを一体化する。
【０００５】
ヘッド部には、中心点がスクリュー部の中心軸線上に位置し、該中心軸線に沿った方向において該中心点の前後に及ぶ球帯面が設けられる。クラウン部には、その前端部の内側に、径が前端側に向かって漸減し、球帯面を介してヘッド部を前端側から支持する前側支持面が設けられる。ワッシャ部には、径が後端側に向かって漸減し、球帯面を介してヘッド部を後端側から支持する後側支持面と、ロッドを支持する凹状のロッド支持面とが設けられる。
【０００６】
使用に際しては、クラウン部にスクリュー部が挿入され、さらにワッシャ部が挿入されてスクリュー部のヘッド部上に配置される。そして、スクリュー部のねじ部が、脊椎にねじ込まれる。
【０００７】
その後、ロッドがクラウン部のＵ字状部分及びワッシャ部の凹状のロッド支持面に配置されて、プラグ部がクラウン部に螺合される。これにより、ヘッド部、クラウン部、ワッシャ部及びロッドが一体化し、ロッドがスクリュー部に結合され、脊椎に固定される。
【先行技術文献】
【特許文献】
【０００８】
【特許文献１】特開２０１３−２５５７９４号公報
【特許文献２】特許第４５３１４２０号公報
【発明の概要】
【発明が解決しようとする課題】
【０００９】
しかしながら、特許文献１の脊椎固定用インプラントによれば、クラウン部にワッシャ部を挿入するとき、双方の中心軸線の周りにおける位置関係が固定されないので、スクリュー部のねじ部を脊椎にねじ込む間に、双方の位置関係がずれるおそれがある。その場合、その後にロッドをクラウン部に配置するとき、この位置関係を調整する必要がある。この調整の手間を省くために、クラウン部にワッシャ部を挿入するとき、クラウン部にワッシャ部を仮止めできると都合がよい。
【００１０】
一方、特許文献２の脊椎固定用インプラントでは、ワッシャ部の外壁に設けられた穴に対応して設けられたクラウン部のクリンプボアを外側から該穴に向けてかしめることにより、クラウン部とワッシャ部の位置関係を固定するようにしている。しかし、これによれば、かしめる作業や道具が必要となるので、クラウン部にワッシャ部を配置する作業が煩雑なものとなる。
【００１１】
本発明の目的は、かかる従来技術の問題点に鑑み、かしめ作業や特別な道具を要することなく、クラウン部にワッシャ部を仮止めできる脊椎固定用インプラントを提供することにある。
【課題を解決するための手段】
【００１２】
本発明に係る脊椎固定用インプラントは、ロッドを介して複数の椎骨を相互に固定するために各椎骨を前記ロッドに固定する脊椎固定用インプラントであって、
椎骨に固定されるスクリュー部と、該スクリュー部を前記ロッドに結合させる結合部と
を備え、
前記スクリュー部は、
椎骨に対して、椎骨の側である前側からねじ込まれるねじ部と、
前記ねじ部に対して、椎骨と反対の側である後側に連なる球状のヘッド部とを有し、
前記結合部は、
中空円筒状の部材で構成され、その側壁の対向する２箇所に、後側に開くＵ字形状に切り取ったＵ字状部分を有し、該Ｕ字状部分の底部に前記ロッドが該中空円筒を横断するように配置され、該底部よりも前側の内側に前記ヘッド部が配置されるクラウン部と、
前記クラウン部の内側に挿入されて前記ヘッド部と前記ロッドとの間に介在する中空円筒状のワッシャ部と、
前記クラウン部の後側端部に螺合されて前記ロッドを押すことにより、前記ヘッド部、前記クラウン部、前記ワッシャ部及び該ロッドを一体化するプラグ部とを備え、
前記ヘッド部は、前記スクリュー部の中心軸線上に中心点を有して該中心軸線に沿った方向における該中心点よりも前側から後側の範囲に及ぶ球帯状の球帯面を有し、
前記クラウン部は、前側端部の内側に、径が前側に向かって漸減し、前記球帯面に接して前記ヘッド部を前側から支持する凹んだ球帯状の前側支持面を有し、
前記ワッシャ部は、径が後側に向かって漸減し、前記球帯面に接して前記ヘッド部を後側から支持する凹んだ球帯状の後側支持面と、前記ロッドを支持する該ロッドの側面に適合して凹んだロッド支持面とを有し、
前記ワッシャ部の側面には、前記Ｕ字状部分と前記ロッド支持面とを整列させるための整列用凹部が設けられ、
前記クラウン部の内面には、前記整列用凹部に対応する整列用凸部が設けられ、
前記整列用凹部の前端が前端段差面となっていると共に、後端が後端段差面となっており、
前記前端段差面が前記後側支持面の後側の端よりも前側に位置すると共に前記後端段差面が該後側支持面の後側の端よりも後側に位置して、前記整列用凹部が該後側支持面の後側の端を跨ぐように設けられ、
前記整列用凹部の前端における該整列用凹部の深さを含む前記ワッシャ部の径方向の厚さが、前記整列用凹部の後端における該整列用凹部の深さを含む該ワッシャ部の径方向の厚さの４０〜６０％であり、
前記ワッシャ部は、前記クラウン部に挿入される際に、内側に弾性変形し復帰することにより、前記整列用凸部が前記整列用凹部内に前記前端段差面を介して該前端段差面と前記後端段差面との間に落ち込み、該クラウン部に仮止めされることを特徴とする。
【００１３】
本発明において、脊椎固定用インプラントの使用に際しては、クラウン部にスクリュー部を挿入し、そのヘッド部の球帯面の前側をクラウン部の前側支持面に対峙させる。さらに、クラウン部にワッシャ部を挿入し、その後側支持面を該球帯面の後側に対峙させる。この挿入に際し、クラウン部の整列用凸部により押されてワッシャ部が内側に弾性変形するので、整列用凸部が、容易にワッシャ部の整列用凹部内に配置される。これにより、ワッシャ部のロッド支持面がクラウン部のＵ字状部分に整列する。
【００１４】
次に、スクリュー部のねじ部を、所定の工具により、対象となる椎骨に捩じ込んで固定する。次に、ロッドをクラウン部のＵ字状部分に挿入し、その底部に配置する。これにより、ロッドがワッシャ部のロッド支持面上に配置される。
【００１５】
次に、プラグ部をクラウン部に螺合させて、スクリュー部のヘッド部、クラウン部、ワッシャ部及びロッドを一体化する。これにより、スクリュー部とロッドとの連結が完了する。このような連結を１つのロッドと複数の脊椎固定用インプラントとについて行うことにより、ロッドを介して複数の椎骨が相互に固定される。
【００１６】
本発明によれば、クラウン部にワッシャ部を挿入するとき、クラウン部の整列用凸部をワッシャ部の整列用凹部に配置して、ワッシャ部のロッド支持面がクラウン部のＵ字状部分に整列させることができる。このため、その後のロッド支持面及びＵ字状部へのロッドの配置を、容易に行うことができる。したがって、クラウン部にワッシャ部を挿入するとき、かしめ作業や特別な道具を要することなく、容易にクラウン部にワッシャ部を仮止めすることができる。
【００１８】
また、クラウン部にワッシャ部を挿入するとき、クラウン部の整列用凸部が、ワッシャ部の整列用凹部に達する過程でワッシャ部の薄くなっている後側支持面に対応する部分を通過するため、その過程でワッシャ部が弾性変形し易い。したがって、整列用凸部を整列用凹部に容易に到達させ、ワッシャ部の挿入を完了することができる。
【００２０】
さらに、クラウン部にワッシャ部を挿入するとき、クラウン部の整列用凸部が、ワッシャ部の適度に薄くなっている後側支持面に対応する部分に到達する。したがって、挿入に対する適度な抵抗力を生じさせながら整列用凸部を整列用凹部に配置させ、適度な強度で整列用凸部を整列用凹部により拘束することができる。
【００２１】
本発明において、前記クラウン部の前記整列用凸部は中心軸線方向よりも周方向に沿って長く、前記ワッシャ部の前記整列用凹部は周方向よりも中心軸線方向に沿って長く、該クラウン部に該ワッシャ部が挿入されて該整列用凸部が該整列用凹部内に配置された状態において、該ワッシャ部の前記後側支持面が前記ヘッド部の前記球帯面に密接した状態にあるとすれば、該整列用凸部及び該整列用凹部の前側の端同士及び後側の端同士の間には余裕があってもよい。
【００２２】
これによれば、上記の余裕があることにより、クラウン部にワッシャ部が挿入された後であって、プラグ部をクラウン部に螺合させてスクリュー部とロッドとを結合させる前や、プラグ部の螺合を緩めて該結合を解除したときに、クラウン部のＵ字状部にワッシャ部のロッド支持面を整列させつつ、クラウン部及びワッシャ部をスクリュー部のヘッド部に対して自由に回転させることができる。したがって、スクリュー部にロッドを固定するときや、ロッドを再固定するときに、スクリュー部とロッドとの位置関係を、クラウン部及びワッシャ部のスクリュー部に対する回転により、容易に調整することができる。
【図面の簡単な説明】
【００２３】
【図１】本発明の一実施形態に係る脊椎固定用インプラントの断面図である。
【図２】２Ａは、図１の脊椎固定用インプラントのクラウン部の断面図、２Ｂは、該クラウン部の側面図、２Ｃは、該クラウン部の平面図である。
【図３】３Ａは、図１の脊椎固定用インプラントのワッシャ部の断面図、３Ｂは、該ワッシャ部の側面図、３Ｃは、該ワッシャ部の下面図である。
【発明を実施するための形態】
【００２４】
以下、図面を用いて本発明の実施形態を説明する。図１は、本発明の一実施形態に係る脊椎固定用インプラントの断面図である。図１に示すように、脊椎固定用インプラント１は、ロッド２を介して複数の椎骨を相互に固定するために各椎骨をロッド２に固定するものである。
【００２５】
脊椎固定用インプラント１は、椎骨に固定されるスクリュー部３と、スクリュー部３をロッド２に結合させる結合部４とを備える。スクリュー部３は、椎骨に対して、椎骨の側である前側からねじ込まれるねじ部５と、ねじ部５に対して、椎骨と反対の側である後側に連なる球状のヘッド部６とを有する。
【００２６】
結合部４は、実質的に中空円筒状の部材で構成されるクラウン部７と、クラウン部７の内側に挿入される実質的に中空円筒状のワッシャ部８と、クラウン部７の後側端部に螺合されるプラグ部９とで構成される。クラウン部７及びプラグ部９は、例えば、Ｔｉ−Ａｌ−Ｖ合金（ＡＳＴＭＦ１３６）で形成される。ワッシャ部８は、例えば、純チタン（ＡＳＴＭＦ６７）で形成される。
【００２７】
クラウン部７には、その側壁の対向する２箇所に、後側に開くＵ字形状に切り取ったＵ字状部分１０（図２Ａ参照）が設けられる。Ｕ字状部分１０の底部に、ロッド２がクラウン部７を横断するように配置される。クラウン部７の外壁には、ロッド２をＵ字状部分１０の底部に案内したり、スクリュー部３を椎骨にねじ込むツールを導入したりするための図示していないエクステンダが係合する係合部１１が形成される。
【００２８】
クラウン部７のＵ字状部分１０の底部よりも前側の内側に、スクリュー部３のヘッド部６が配置される。クラウン部７の後側端部の内壁には、プラグ部９を螺合するための雌ねじ１２が設けられる。
【００２９】
ワッシャ部８は、ヘッド部６とロッド２との間に介在するように、クラウン部７の内側に挿入される。プラグ部９は、スクリュー部３のヘッド部６、ワッシャ部８及びロッド２が配置されたクラウン部７の後側端部に螺合される。これにより、プラグ部９は、ロッド２を押して、スクリュー部３、クラウン部７、ワッシャ部８及びロッド２を一体化し、結合する。
【００３０】
ヘッド部６は、ほぼ球形状を有しており、その球形状の中心点Ｃを中心としてスクリュー部３が回転し得るように、クラウン部７及びワッシャ部８により支持される。中心点Ｃは、スクリュー部３の中心軸線Ａｘ上に位置する。ヘッド部６には、椎骨にスクリュー部３をねじ込むツールを挿入するための直方体状の凹部１３（四角穴）が設けられる。
【００３１】
また、ヘッド部６には、中心軸線Ａｘに沿った方向における中心点Ｃよりも前側から後側の範囲に及ぶ球帯状の球帯面１４が設けられる。球帯面１４は、中心軸線Ａｘに垂直で中心点Ｃを含む平面Ｐ１についてほぼ対称な形状を有し、中心軸線Ａｘを含む面において、中心点Ｃを中心とする中心角αが、例えば１００°程度の範囲を占める。
【００３２】
ねじ部５には、ほぼ全長にわたり、椎骨に螺合する雄ねじ２１が設けられる。ねじ部５の前側の端部には、セルフタッピングが可能なように、カッティングフルート１５が設けられる。カッティングフルート１５は、ねじ部５の前側の端から少し上がった部分、すなわち最初のねじ山からほぼ３つ目のねじ山にかけて、ねじ部５の長さ方向に沿って設けられる。
【００３３】
図２に示すように、クラウン部７には、その前側端部の内側に、径が前側に向かって漸減し、ヘッド部６の球帯面１４（図１参照）に接してヘッド部６を前側から支持する凹んだ球帯状の前側支持面１６が設けられる。
【００３４】
前側支持面１６は、図１の基準状態において、ヘッド部６の中心Ｃを通り、中心軸線Ａｘに垂直な上述の平面Ｐ１と、平面Ｐ１に平行で平面Ｐ１よりも前側に位置する平面Ｐ２とで挟まれる球帯面１４の部分に対応する。ここで、「基準状態」とは、図１のように、クラウン部７及びワッシャ部８の中心軸線がスクリュー部３の中心軸線Ａｘに一致している状態である。
【００３５】
図２Ａのように、前側支持面１６とクラウン部７の中心軸線Ａｃとを含む面とが交差するラインの両端が中心Ｃについてなす中心βは、例えば２０°程度である。
【００３６】
ワッシャ部８は、クラウン部７の内側に嵌合させて固定できるように、クラウン部７の内径にほぼ等しい外径を有する。図３に示すように、ワッシャ部８には、径が後側に向かって漸減し、ヘッド部６の球帯面１４（図１参照）に接してヘッド部６を後側から支持する凹んだ球帯状の後側支持面１７と、ロッド２を支持するロッド２の側面に適合して凹んだロッド支持面１８とが設けられる。
【００３７】
ワッシャ部８の側面には、クラウン部７のＵ字状部分１０とワッシャ部８のロッド支持面１８とを整列させて、ロッド２をＵ字状部分１０及びロッド支持面１８上に適切に配置できるようにするための整列用凹部１９が設けられる。整列用凹部１９は、ワッシャ部８の中心軸線Ａｗ方向の中間部分において、その外周面上の半周離れた２箇所に設けられる。
【００３８】
図２に示すように、クラウン部７の内面には、整列用凹部１９に対応する整列用凸部２０が設けられる。ワッシャ部８は、クラウン部７に挿入される際に、内側に弾性変形して整列用凹部１９内に整列用凸部２０が位置するのを許容する。このとき、整列用凹部１９に整列用凸部２０が落ち込むことにより、クラウン部７にワッシャ部８が仮止めされ、相互間の位置関係が確定する。
【００３９】
図３のように、ワッシャ部８の後側支持面１７が存在する部分は、後側支持面１７より後側の部分よりも径方向の厚さが薄くなっており、整列用凹部１９の前側の端は、後側支持面１７の後側の端よりも前側に位置する。そして、整列用凹部１９の前側の端における整列用凹部１９の深さを含むワッシャ部の径方向の厚さｔ１は、後側支持面１７の後側の端における整列用凹部１９の深さを含む径方向の厚さｔ２の４０〜６０％、さらには４５〜５５％であるのが好ましい。
【００４０】
厚さｔ１が厚さｔ２の４０％を超えると、クラウン部７にワッシャ部８を挿入するときにワッシャ部８を弾性変形させるのが困難となる。また、厚さｔ１が厚さｔ２の４０％を下回ると、クラウン部７にワッシャ部８を挿入する際のワッシャ部８の弾性変形が容易となり過ぎて、整列用凹部１９及び整列用凸部２０によるクラウン部７に対するワッシャ部８の固定性が劣化するおそれがある。
【００４１】
クラウン部７の整列用凸部２０は中心軸線Ａｃ方向よりも周方向に沿って長く、ワッシャ部８の整列用凹部１９は周方向よりも中心軸線Ａｗ方向に沿って長い。そして、図１に示すように、クラウン部７にワッシャ部８が挿入されて整列用凸部２０が整列用凹部１９内に配置され状態において、ワッシャ部８の後側支持面１７がヘッド部６の球帯面１４に密接した状態にあるとすれば、整列用凸部２０及び整列用凹部１９の前側の端同士及び後側の端同士の間には、所定の余裕ｄ１、ｄ２が存在する。
【００４２】
プラグ部９の周面には、クラウン部７の雌ねじ１２に対応する雄ねじ２１が設けられる。プラグ部９の後側の面には、プラグ部９をクラウン部７に螺合させる工具を挿入するためのヘクサロビュラ穴２２が設けられる。
【００４３】
この構成において、脊椎固定用インプラント１を使用する際には、クラウン部７にスクリュー部３を前側から挿入し、ヘッド部６の球帯面１４の前側をクラウン部７の前側支持面１６に対峙させる。さらに、クラウン部７のＵ字状部分１０にワッシャ部８のロッド支持面１８が整列するような双方の位置関係で、クラウン部７にワッシャ部８を挿入し、その後側支持面１７を球帯面１４の後側に対峙させる。
【００４４】
この挿入に際し、クラウン部７の整列用凸部２０により押されてワッシャ部８が内側に、主として弾性変形により変形するので、整列用凸部２０が、容易にワッシャ部８の整列用凹部１９内に配置される。これにより、ワッシャ部８のロッド支持面１８がクラウン部７のＵ字状部分１０に整列した状態で、相互の位置関係が固定される。
【００４５】
次に、所定の工具をヘッド部６の凹部１３に嵌合させ、スクリュー部３のねじ部５を、対象となる椎骨に捩じ込んで固定する。この固定後も、ワッシャ部８のロッド支持面１８がクラウン部７のＵ字状部分１０に整列した状態が維持されるが、ワッシャ部８及びクラウン部７のスクリュー部３に対する角度は、上述の整列用凸部２０と整列用凹部１９との間の余裕ｄ１、ｄ２が存在することによって、ヘッド部６の球帯面１４の存在範囲に応じた角度の範囲内で、ある程度自由に調整することができる。
【００４６】
次に、ロッド２をクラウン部のＵ字状部分１０に挿入し、その底部に配置する。これにより、ロッド２がワッシャ部８のロッド支持面１８上に配置される。この配置は、上記のように、ロッド支持面１８がクラウン部７のＵ字状部分１０に整列した状態にあり、かつワッシャ部８及びクラウン部７のスクリュー部３に対する角度が調整可能であるため、容易かつ適切に行われる。このとき、他の椎骨にも同様にして取り付けられた脊椎固定用インプラント１に対しても、同様に、そのロッド２が配置される。
【００４７】
次に、プラグ部９をクラウン部７に螺合させて、スクリュー部３のヘッド部６、クラウン部７、ワッシャ部８及びロッド２を一体化する。これにより、スクリュー部３とロッド２との結合が完了する。他の椎骨の脊椎固定用インプラント１についても同様の結合が行われる。これにより、ロッド２を介して複数の椎骨が相互に固定される。
【００４８】
本実施形態によれば、クラウン部７にワッシャ部８を挿入するとき、かしめ作業や特別な道具を要することなく、ロッド支持面１８をＵ字状部分１０に整列させた状態でクラウン部７にワッシャ部８を仮止めすることができる。このため、その後のロッド支持面１８及びＵ字状部分１０へのロッド２の配置を、容易かつ適切に行うことができる。
【００４９】
また、ワッシャ部８の整列用凹部１９の前側の端は、後側支持面１７の後側の端よりも前側に位置するので、クラウン部７にワッシャ部８を挿入するとき、ワッシャ部８を容易に弾性変形させて整列用凸部２０を整列用凹部１９に到達させることができる。
【００５０】
また、整列用凹部１９の前側の端におけるワッシャ部８の径方向の厚さｔ１が、後側支持面１７の後側の端における径方向の厚さｔ２の４０〜６０％であるため、クラウン部７にワッシャ部８を挿入するとき、適度な抵抗力を生じさせながら整列用凸部２０を整列用凹部１９に配置させ、適度な強度で整列用凸部２０を整列用凹部１９により拘束することができる。
【００５１】
また、クラウン部７の整列用凸部２０は中心軸線Ａｃ方向よりも周方向に沿って長く、ワッシャ部８の整列用凹部１９は周方向よりも中心軸線Ａｗ方向に沿って長いので、整列用凸部２０及び整列用凹部１９の前側の端同士及び後側の端同士の間には余裕ｄ１、ｄ２が存在する。したがって、スクリュー部３にロッド２を固定するときや、ロッド２を再固定するときに、スクリュー部３とロッド２との位置関係を、容易に調整することができる。
【００５２】
以上、本発明の実施形態について説明したが、本発明はこれに限定されない。例えば、クラウン部７、ワッシャ部８又はプラグ部９を、医療用プラスチックで形成してもよい。
【符号の説明】
【００５３】
１…脊椎固定用インプラント、２…ロッド、３…スクリュー部、４…結合部、５…ねじ部、６…ヘッド部、１０…Ｕ字状部分、７…クラウン部、８…ワッシャ部、９…プラグ部、Ａｘ、Ａｃ、Ａｗ…中心軸線、Ｃ…中心点、１４…球帯面、１６…前側支持面、１７…後側支持面、１８…ロッド支持面、１９…整列用凹部、２０…整列用凸部。
【図１】
0006533400.tif 000002
【図２】
0006533400.tif 000003
【図３】
0006533400.tif 000004